(57)【特許請求の範囲】
【請求項１】
液晶パネルを収納するための筐体に収納されており、かつ光源を有するバックライトを備えた光源装置において、
一端が前記光源に接続されており、他端が前記筐体の外部に配置されるようにして設けられ、かつ被覆膜を有する電力入力用配線と、
前記筐体の内部に設けられており、前記電力入力用配線が有する被覆膜と接するようにして前記電力入力用配線を係止させ、かつ断面視して三角形状をなしている突起体とを備え、
前記突起体は、断面視して先端が前記電力入力用配線の他端側よりも前記電力入力用配線の一端側に位置している第１突起体と、断面視して先端が前記電力入力用配線の一端側よりも前記電力入力用配線の他端側に位置している第２突起体とを有している、光源装置。
【請求項２】
液晶パネルと、
請求項１に記載の光源装置とを備えた、液晶表示装置。
【発明の詳細な説明】
【技術分野】
【０００１】
本発明は、液晶パネルを収納するための筐体に収納されており、かつ光源を有するバックライトを備えた光源装置、および液晶表示装置に関する。
【背景技術】
【０００２】
近年、パーソナルコンピュータ、ワードプロセッサ、テレビ、デジタルカメラ、ビデオカメラ、魚群探知機、携帯型位置測定システム（Global Positioning System:ＧＰＳ）などへの液晶表示装置の応用が進められている（例えば、特許文献１参照）。
【０００３】
通常、液晶表示装置には液晶パネルの裏側にバックライトを設けて、そのバックライトによって輝度を高めるようにしている。
【０００４】
図６と図７により従来の液晶表示装置１の構成を説明する。図６はバックライト側から見た平面図、図７はバックライトの光源（たとえば冷陰極管など）に対する電力入力用の配線要部を示す。
【０００５】
図６の液晶表示装置１によれば、２は筐体であり、この筐体２の内部にバックライト３と液晶パネル４とを重ねて配設している。なお、同図ではバックライト３の裏側に液晶パネル４を配している。
【０００６】
バックライト３は導光板５と、その導光板５の端面に設けた冷陰極管６とを主要構成部にして、冷陰極管５の出射光が導光板５に入り、導光板５の主面より光照射され、これによって液晶パネル４を投光する。
【０００７】
冷陰極管５に電力供給するためには、冷陰極管６の両端にそれぞれ入力配線７、８を接続し、これら入力配線７、８をまとめて、筐体２の一部より導出している。
【０００８】
図７に入力配線７、８を固定する構造を示す。筐体２は硬質な樹脂でもって成形することから、この成形に伴い入力配線７、８が固定されるように、筐体２の隅部に通路９が形成される。また、冷陰極管６の一端にはその長手方向とは直交する方向に入力配線７の一端が接続固定され、そして、壁１０を乗り越えるように引回され、さらに冷陰極管６の他端に接続固定した入力配線８とともに、通路９を通して筐体２の外側に引出される。これらの入力配線７、８の端部はコネクタ１１に接続される。
【０００９】
上記構成のバックライト３によれば、壁１０と通路９による配線固定構造により入力配線７、８が埋設され、この状態でもってバックライト３の冷陰極管６に対し電力を印加することで、点灯させる。
【先行技術文献】
【特許文献】
【００１０】
【特許文献１】特開平１０−０９６９２３号公報
【発明の概要】
【発明が解決しようとする課題】
【００１１】
しかしながら、このような構成のバックライト３を備えた液晶表示装置１をさまざまな電子機器等に組み込んだり、あるいは取扱い等々に起因して、コネクタ１１や入力配線７，８が引っ張られることがあり、そのために冷陰極管６に対し損傷を与えることがある。
【００１２】
この点を図８〜図１０により説明する。図８はこの課題を説明するための液晶表示装置１の平面図であり、そして、図９は図８に示す液晶表示装置１のＡ領域の拡大図、図１０はＢ領域の拡大図である。
【００１３】
液晶表示装置１のＡ領域において、入力配線７は金属のコードに電気的に絶縁性の樹脂を被覆したものであるが、そのコードは、冷陰極管６のコードと接続部１２にて結ばれている。そして、入力配線７が引っ張られ、伸びきった状態になると、冷陰極管６のコードの付け根である端子部１３に相当な応力がかかり、破壊強度を超えるまでに引っ張られると端子部１３が破壊されていた。
【００１４】
同様に図１０に示す液晶表示装置１のＢ領域においても、入力配線８のコードは冷陰極管６のコードと接続部１４にて結ばれ、入力配線８が破壊強度を超える程度に引っ張られると、冷陰極管６のコードの付け根である端子部１５が破壊されていた。
【００１５】
したがって本発明は上記事情に鑑みて完成されたものであり、その目的はバックライトの光源（冷陰極管など）に接続された電力入力用電線が引っ張られても、光源が保護され、良好な点灯を長期間にわたって維持した高信頼性かつ高品質の光源装置、および液晶表示装置を提供することにある。
【課題を解決するための手段】
【００１６】
上記目的を達成するために本発明における光源装置は、液晶パネルを収納するための筐体に収納されており、かつ光源を有するバックライトを備えた光源装置において、一端が前記光源に接続されており、他端が前記筐体の外部に配置されるようにして設けられ、かつ被覆膜を有する電力入力用配線と、前記筐体の内部に設けられており、前記電力入力用配線が有する被覆膜と接するようにして前記電力入力用配線を係止させ、かつ断面視して三角形状をなしている突起体とを備え、前記突起体は、断面視して先端が前記電力入力用配線の他端側よりも前記電力入力用配線の一端側に位置している第１突起体と、断面視して先端が前記電力入力用配線の一端側よりも前記電力入力用配線の他端側に位置している第２突起体とを有している。
【００１７】
上記目的を達成するために本発明における液晶表示装置は、液晶パネルと、本発明に係る光源装置とを備える。
【発明の効果】
【００１８】
本発明の光源装置、および液晶表示装置によれば、バックライトの電力入力用電線が引っ張られても、バックライトが保護され、良好な点灯を長期間にわたって維持することができるという効果を奏する。
【図面の簡単な説明】
【００１９】
【図１】本発明の液晶表示装置の概略平面図である。
【図２】図１において切断面線Ｘ−Ｘによる液晶表示装置の概略横断面図である。
【図３】本発明に係るバックライトの電力入力用の配線要部拡大図である。
【図４】電線係止用突起部付近を示す拡大図である。
【図５】電線係止用突起部の拡大図である。
【図６】従来の液晶表示装置の概略平面図である。
【図７】従来のバックライトの電力入力用の配線要部拡大図である。
【図８】従来の液晶表示装置の概略平面図である。
【図９】従来の液晶表示装置のＡ領域の拡大図である。
【図１０】従来の液晶表示装置のＢ領域の拡大図である。
【図１１】他の電線係止用突起部付近を示す拡大図である。
【図１２】他の電線係止用突起部付近を示す拡大図である。
【発明を実施するための形態】
【００２０】
本発明を図１〜図５により説明する。図１は液晶表示装置１６の概略平面図、図２は図１において切断面線Ｘ−Ｘによる液晶表示装置１６の概略横断面図であり、また、図３はバックライトの電力入力用の配線要部を示す。図４と図５は前記電線係止用突起部を示す拡大図である。なお、従来の液晶表示装置１と同一箇所には同一符号を付す。
【００２１】
液晶表示装置１６も液晶表示装置１と同様に筐体２ａの内部にバックライト３と画像表示をおこなう液晶パネル４とを重ねて保持される。
【００２２】
液晶パネル４は電極がパターンニングされた２枚のガラス基板をシール材を介して貼り合わせ、液晶を封入したものであり、これによって画像表示がおこなわれる有効表示領域が規定される。この有効表示領域に対向しバックライト３にも有効発光領域が規定される。
【００２３】
図２に示すように、バックライト３は透明なアクリル樹脂からなる平板の導光板５の一方面上に光拡散板１７を、他方面上に光反射板１８を形成している。光拡散板１７上に集光用のレンズシート１９を１枚もしくは複数枚設けてもよい。導光板５の端面には前記光源である冷陰極管６を設け、さらにリフレクタ２０を覆い、冷陰極管６の照射光がリフレクタ２０でもって反射され、導光板５内に導かれる。
【００２４】
冷陰極管６の両端には、それぞれ入力配線７と入力配線８とが接続される。入力配線７は、たとえば高圧側に、入力配線８が低圧側に設けられる。そして、これら入力配線７、８は冷陰極管６とともに、筐体２ａ内に収納される。
【００２５】
図３に示す入力配線７、８の固定構造によれば、筐体２ａは硬質な樹脂でもって成形されることから、この成形に伴い入力配線７、８が収納されるように、筐体２ａに通路２１が形成される。
【００２６】
冷陰極管６の一端にはその長手方向とは直交する方向に入力配線７の一端が接続固定される。そこで、通路２１の一部に壁１０を設けて、この壁１０を乗り越えるように入力配線７が引回されるように通路２１を形成する。
【００２７】
また、冷陰極管６の他端に接続固定した入力配線８においては、入力配線８を冷陰極管６に沿うように収納する。
【００２８】
そして、これら入力配線７、８は通路２１を通して筐体２ａの外側に引出し、コネクタ１１に接続され、これら入力配線７、８を通してバックライト３の冷陰極管６に対し電力を印加することで、点灯させる。
【００２９】
本発明においては、このように入力配線７、８を通路２１内に埋設するに当たって、筐体２ａにおける通路２１の外部付近の内面に前記電線係止用突起部である突起体２２を複数個形成している。そして、入力配線７、８は金属のコードに電気的絶縁性の樹脂を被膜したものであることで、その樹脂層に突起体２２が当たり、かみ込み、係止される。
【００３０】
突起体２２は、このような係止作用がもっとも効果的になるような形状にするとよい。たとえば、断面三角形状、ピラミッド状などの構造が有効である。
【００３１】
かくして本発明の液晶表示装置１６によれば、筐体２ａの通路２１の内面に突起体２２を形成したことで、コネクタ１１や入力配線７、８が引っ張られても、突起体２２でもってくい止められ、筐体２ａ内にある入力配線７、８が伸びきらず、これにより、従来のように冷陰極管６のコードの付け根である端子部１３、１５に応力がかからなくなり、破壊されなくなった。
【００３２】
[好適例]
本発明の液晶表示装置１６において、突起体２２の入力配線７、８に対する係止作用をもっとも高める構造を図４と図５に示す。図４は通路２１の突起体２２を形成した内面付近の拡大図であり、さらに図５は図４に示す領域Ｃの拡大図である。
【００３３】
突起体２２は、それぞれの通路２１の両側に複数個配列形成するのがよく、しかも、突起体２２を断面三角形状にした場合に、外側の底角θ１と内側の底角θ２との関係がθ１＜θ２となるような構造にする。これによって、突起体２２の突起部が通路２１の内側に向くことで、突起体２２が入力配線７、８の樹脂にくい込みやすくなり、その結果、最大の係止作用が得られる。
【００３４】
つぎに本発明者は本発明の液晶表示装置１６と従来の液晶表示装置１における入力配線７、８の引張強度を測定したところ、下記のような結果が得られた。なお、本発明の液晶表示装置１６では前記好適例の構造の筐体２ａを用いた。
【００３５】
引張強度の測定はつぎにようにしておこなった。すなわち、入力配線７を外側に向かって、水平にプッシュプルゲージにて引っ張り、冷陰極管６の端部が破壊に至るか、もしくは配線の被覆が破れるまでの強度でもって、引張強度とした。入力配線８についても、同様に外側に向かって、水平にプッシュプルゲージにて引っ張り、冷陰極管６の端部が破壊に至るか、もしくは配線の被覆が破れるまでの強度でもって、引張強度とした。
【００３６】
（本発明の液晶表示装置１６）
入力配線７．．．５．０ｋｇ
入力配線８．．．５．０ｋｇ
（従来の液晶表示装置１）
入力配線７．．．０．５ｋｇ
入力配線８．．．１．０ｋｇ
上記測定結果から明らかなとおり、本発明の液晶表示装置１６は、従来の液晶表示装置１に比べて、引張強度に優れることがわかる。
【００３７】
なお、本発明は上記実施形態例に限定されるものでなく、本発明の要旨を逸脱しない範囲内で種々の変更や改善などは何ら差し支えない。たとえば、電線係止用突起部として図１１に示すような突起体２２ａ，図１２に示すような突起体２２ｂでもよい。突起体２２ａにおいても断面三角形状であるが、その突起部がさらに内側に向くように鋭角状になっている。また、突起体２２ｂでは前記突起体２２を組合せた構造にしている。
【符号の説明】
【００３８】
１、１６  液晶表示装置
２、２ａ  筐体
３  バックライト
４  液晶パネル
５  導光板
６  冷陰極管
７、８  入力配線
９、２１  通路
２２、２２ａ、２２ｂ  突起体
【図１】
0004799638.tif 000002
【図２】
0004799638.tif 000003
【図３】
0004799638.tif 000004
【図４】
0004799638.tif 000005
【図５】
0004799638.tif 000006
【図６】
0004799638.tif 000007
【図７】
0004799638.tif 000008
【図８】
0004799638.tif 000009
【図９】
0004799638.tif 000010
【図１０】
0004799638.tif 000011
【図１１】
0004799638.tif 000012
【図１２】
0004799638.tif 000013